(57)【特許請求の範囲】
【請求項１】
駆動流体が流入する駆動流体室を構成する駆動流体室構成壁体と、
互いに対向する一対の弁座部と底壁部とを有しかつ該底壁部と前記一対の弁座部の対向間とによって形成される空間が前記駆動流体室に臨むと共に切り換えスライダーブロック往復動空間とされた弁本体部と、
前記切り換えスライダーブロック往復動空間にスライド可能に設けられかつスライド方向両側がシール面とされた切り換えスライダーブロックとを備え、
前記各弁座部には駆動流体排出口に連通された排出ポートと、前記切り換えスライダーブロックの往復動方向に前記排出ポートから離間して設けられかつ前記駆動流体室に連通されたときに駆動ロッドを一側から他側に向けて駆動する一側容積拡大室に前記駆動流体を供給する他側供給ポートと、前記排出ポートを挟んで前記他側供給ポートと反対側に設けられかつ前記駆動流体室に連通されたときに前記駆動ロッドを他側から一側に向けて駆動する他側容積拡大室に前記駆動流体を供給する一側供給ポートとが設けられ、
前記切り換えスライダーブロックには、前記駆動ロッドが一側に位置するときに前記一側供給ポートと前記排出ポートとを連通しかつ前記駆動ロッドが他側に位置するときに前記他側供給ポートと前記排出ポートとを連通する連通空間が設けられ、
前記駆動ロッドには前記切り換えスライダーブロックに係合して前記切り換えスライダーブロックを前記駆動ロッドの往復動に基づき往復動させる切り換え爪体が設けられていることを特徴とする弁切り換え装置。
【請求項２】
前記弁本体部には、前記切り換えスライダーブロックの往復動方向に直交する方向に延びてかつ該切り換えスライダーブロックの脱落を阻止する脱落阻止部材が当該切り換えスライダーブロックを跨ぐようにして設けられ、前記弁本体部の底壁部には位置決めボールが前記切り換えスライダーブロックに向けて突出付勢して設けられ、前記切り換えスライダーブロックには前記底壁部に臨む面に前記位置決めボールと係合して該切り換えスライダーブロックを往動位置と復動位置とに位置決めする係合溝が形成されていることを特徴とする請求項１に記載の弁切り換え装置。
【請求項３】
前記切り換え爪体は、前記駆動ロッドにその往復動方向に摺動可能に支承され、前記駆動流体室構成壁体と前記切り換え爪体との間には揺動ロッドが揺動可能に掛け渡され、前記揺動ロッドには前記駆動ロッドが他側から一側に向けて駆動されて前記切り換え爪体がその中立位置を超えたときに該切り換え爪体を一側方向に付勢しかつ前記駆動ロッドが位置側から他側に向けて駆動されて前記切り換え爪体がその中立位置を超えたときに該切り換え爪体を他側方向に付勢する付勢コイルスプリングが設けられていることを特徴とする請求項１に記載の弁切り換え装置。
【請求項４】
前記切り換え駆動ロッドには、前記切り換え爪体を挟んでその両側に軸方向から前記切り換え爪体を付勢する補助コイルスプリングがそれぞれ設けられていることを特徴とする請求項３に記載の弁切り換え装置。
【請求項５】
前記駆動ロッドがインキポンプ装置の作動ロッドに連結されたトリップロッドであり、該トリップロッドはシリンダ筒内を往復動され、該シリンダ筒内には
前記一側容積拡大室と前記他側容積拡大室とにシリンダ筒内を画成しかつ前記トリップロッドによって往復動されるピストンが設けられていることを特徴とする請求項１に記載の弁切り換え装置。
【請求項６】
前記駆動ロッドが往復動式のダイヤフラムポンプ装置のセンターロッドであることを特徴とする請求項１に記載の弁切り換え装置。
【請求項７】
前記駆動ロッドの往復動を検出するための近接センサを有することを特徴とする請求項１に記載の弁切り換え装置。
【発明の詳細な説明】
【０００１】
【発明の属する技術分野】
本発明は、駆動流体が流入する駆動流体室を構成する駆動流体室構成壁体と、互いに対向する一対の弁座部と底壁部とを有しかつこの底壁部とその一対の弁座部の対向間とによって形成される空間がその駆動流体室に臨むと共に切り換えスライダーブロック往復動空間とされた弁本体部と、その切り換えスライダーブロック往復動空間にスライド可能に設けられかつスライド方向両側がシール面とされた切り換えスライダーブロックとを備える弁切り換え装置に関し、更にはインキポンプ装置、往復動式のダイヤフラムポンプ装置に用いることのできる弁切り換え装置に関する。
【０００２】
【従来の技術】
従来から、インキポンプ装置には、図１に示す構成の弁切り換え装置が用いられている。その図１において、１は駆動流体が流入する駆動流体室２を構成する駆動流体室構成壁体である。この駆動流体室構成壁体１には弁本体部３が取り付けられている。この弁本体部３には、図２に拡大して示すようにその底壁部４に弁座部５が設けられている。この弁座部５は駆動流体室２に臨んで切り換えスライダーブロック６が往復動するスライダーブロック往復動空間７が設けられている。底壁部５には駆動流体排出口８に連通する排出ポート９と、切り換えスライダーブロック６の往復動方向に排出ポート９から離間して設けられかつ駆動流体室２に連通されたときに駆動ロッド１１を一側から他側に向けて駆動する一側容積拡大室（図示を略す）に駆動流体を供給する他側供給ポート１２と、排出ポート９を挟んで他側供給ポート１２と反対側に設けられかつ駆動流体室２に連通されたときに駆動ロッド１１を他側から一側に向けて駆動する他側容積拡大室（図示を略す）に駆動流体を供給する一側供給ポート１３とが設けられている。
【０００３】
切り換えスライダーブロック６には、駆動ロッド１１が一側に位置するときには一側供給ポート１３と排出ポートと９を連通しかつ駆動ロッド１１が他側に位置するときには他側供給ポート１２と排出ポート９とを連通する連通空間としての凹所１４が形成されている。その切り換えスライダーブロック６は弁本体部３の底壁部４に臨む面がシール面とされている。
【０００４】
その駆動ロッド１１には切り換えスライダーブロック６に係合してこの切り換えスライダーブロック６を駆動ロッド１１の往復動に基づき往復動させる切り換え爪体１５が設けられている。
【０００５】
弁本体部３には、図２に拡大して示すように、切り換えスライダーブロック６の往復動方向に直交する方向に延びてかつこの切り換えスライダーブロック６の脱落を阻止する脱落阻止部材１６が切り換えスライダーブロック６を跨ぐようにして設けられている。この脱落防止部材１６には位置決めボール１７が切り換えスライダーブロック６に向けて突出付勢して設けられている。切り換えスライダーブロック６には駆動流体室２に臨む面に位置決めボール１７と係合して切り換えスライダーブロック６を往動位置と復動位置とに位置決めする係合溝１８が往復動方向に間隔を開けてそれぞれ形成されている。
【０００６】
この従来の弁切り換え装置によれば、図１に矢印で示すように駆動ロッド１１が一側から他側に向けて駆動されるときには駆動流体室２と他側供給ポート１２とが連通されて、図２に矢印で示すように一側容積拡大室に駆動流体が供給される。また、排出ポート９と一側供給ポート１３とが切り換えスライダーブロック６の凹所１４により連通され、他側容積拡大室の駆動流体が、図２に矢印で示すように、一側供給ポート１２、凹所１４、排出ポート９を経由して排出される。
【０００７】
【発明が解決しようとする課題】
しかしながら、この従来の弁切替え装置では、駆動流体室２と凹所４とが切り換えスライダーブロック６のシール面によって画成され、駆動流体室２の圧力と凹所４との間に圧力差が生じるために、切り換えスライダーブロック６が弁本体部３の底壁部５に押し付けられたり、あるいは、底壁部５から浮き上がったりして、切り換えスライダーブロック６がスムーズに可動せず、作動不良、故障の原因になりやすいという問題がある。この現象は、インキのように送液流体が高粘度でかつ高圧圧送が要求されるインキポンプ装置に用いられる弁切り換え装置の場合、駆動流体の圧力を高圧としなければならないためにより一層生じやすい。
【０００８】
本発明は、上記の事情に鑑みて為されたもので、その目的は、切り換えスライダーブロックの可動のスムーズ化を図ることのできる弁切り換え装置を提供することにある。
【０００９】
【課題を解決するための手段】
請求項１に記載の弁切り換え装置は、
駆動流体が流入する駆動流体室を構成する駆動流体室構成壁体と、
互いに対向する一対の弁座部と底壁部とを有しかつ該底壁部と前記一対の弁座部の対向間とによって形成される空間が前記駆動流体室に臨むと共に切り換えスライダーブロック往復動空間とされた弁本体部と、
前記切り換えスライダーブロック往復動空間にスライド可能に設けられかつスライド方向両側がシール面とされた切り換えスライダーブロックとを備え、
前記各弁座部には駆動流体排出口に連通された排出ポートと、前記切り換えスライダーブロックの往復動方向に前記排出ポートから離間して設けられかつ前記駆動流体室に連通されたときに駆動ロッドを一側から他側に向けて駆動する一側容積拡大室に前記駆動流体を供給する他側供給ポートと、前記排出ポートを挟んで前記他側供給ポートと反対側に設けられかつ前記駆動流体室に連通されたときに前記駆動ロッドを他側から一側に向けて駆動する他側容積拡大室に前記駆動流体を供給する一側供給ポートとが設けられ、
前記切り換えスライダーブロックには、前記駆動ロッドが一側に位置するときに前記一側供給ポートと前記排出ポートとを連通しかつ前記駆動ロッドが他側に位置するときに前記他側供給ポートと前記排出ポートとを連通する連通空間が設けられ、
前記駆動ロッドには前記切り換えスライダーブロックに係合して前記切り換えスライダーブロックを前記駆動ロッドの往復動に基づき往復動させる切り換え爪体が設けられていることを特徴とする。
【００１０】
請求項２に記載の弁切り換え装置は、前記弁本体部に、前記切り換えスライダーブロックの往復動方向に直交する方向に延びてかつ該切り換えスライダーブロックの脱落を阻止する脱落阻止部材が当該切り換えスライダーブロックを跨ぐようにして設けられ、前記弁本体部の底壁部には位置決めボールが前記切り換えスライダーブロックに向けて突出付勢して設けられ、前記切り換えスライダーブロックには前記底壁部に臨む面に前記位置決めボールと係合して該切り換えスライダーブロックを往動位置と復動位置とに位置決めする係合溝が形成されていることを特徴とする。
【００１１】
請求項３に記載の弁切り換え装置は、前記切り換え爪体が、前記駆動ロッドにその往復動方向に摺動可能に支承され、前記駆動流体室構成壁体と前記切り換え爪体との間には揺動ロッドが揺動可能に掛け渡され、前記揺動ロッドには前記駆動ロッドが他側から一側に向けて駆動されて前記切り換え爪体がその中立位置を超えたときに該切り換え爪体を一側方向に付勢しかつ前記駆動ロッドが位置側から他側に向けて駆動されて前記切り換え爪体がその中立位置を超えたときに該切り換え爪体を他側方向に付勢する付勢コイルスプリングが設けられていることを特徴とする。
【００１２】
請求項４に記載の弁切り換え装置は、前記切り換え駆動ロッドに、前記切り換え爪体を挟んでその両側に軸方向から前記切り換え爪体を付勢する補助コイルスプリングがそれぞれ設けられていることを特徴とする。
【００１３】
請求項５に記載の弁切替え装置は、前記駆動ロッドがインキポンプ装置の作動ロッドに連結されたトリップロッドであり、該トリップロッドはシリンダ筒内を往復動され、該シリンダ筒内には前記一側容積拡大室と前記他側容積拡大室とにシリンダ筒内を画成しかつ前記トリップロッドによって往復動されるピストンが設けられていることを特徴とする。
【００１４】
請求項６に記載の弁切り換え装置は、前記駆動ロッドが往復動式のダイヤフラムポンプ装置のセンターロッドであることを特徴とする。
【００１５】
請求項７に記載の弁切り換え装置は、前記駆動ロッドの往復動を検出するための近接センサを有することを特徴とする。
【００１６】
【発明の実施の形態】
図３は本発明に係る弁切り換え装置をインキポンプ装置に適用した実施例を説明するための縦断面図である。
【００１７】
その図３において、２０は切り換え弁装置、２１はインキポンプ装置本体部である。インキポンプ装置本体部２１は、図示を略すインキタンクに浸漬されてインキを取り入れる取り入れ口２２とインキを吐出する吐出口２３とを有するシリンダ筒２４、このシリンダ筒２４内を往復動される往復動体２５、往復動体２５の先端に取り付けられてインキを汲み上げる円盤状汲み上げ盤体２６とから大略構成されている。このインキポンプ装置本体部２１の構成、作用は公知である。
【００１８】
切り換え弁装置２０は、図４〜図７に拡大して示すように、シリンダ筒２７と駆動流体室２８ａを構成する駆動流体室構成壁体２８とを有する。シリンダ筒２７には作動ロッド２９が往復動可能に設けられている。この作動ロッド２９の一端部にはピストン３０が設けられている。ピストン３０はシリンダ筒２７内を一側容積拡大室２７ａと他側容積拡大室２７ｂとの二室に画成する。
【００１９】
駆動流体室構成壁体２８には非圧縮性の駆動流体が流入する駆動流体流入口３１が設けられている。その駆動流体には、冬季等に切り換え弁装置の凍結を防止するため、例えば、作動オイルが用いられる。その作動オイルの圧力は例えば２１Ｍｐａである。なお、圧縮性の駆動流体として、例えば、空気を用いたときには、例えば、その圧力は０.７Ｍｐａ程度である。
【００２０】
駆動流体室２８ａには往復動可能に駆動ロッドとしてのトリップロッド３３が設けられている。作動ロッド２９の一端部はトリップロッド３３の一端部側に連結され、作動ロッド２９の他端部は往復動体２５に連結されている。トリップロッド３３の他端部側には後述する切り換えスライダーブロックに係合してこの切り換えスライダーブロックをトリップロッド３３の往復動に基づき往復動させる切り換え爪体３４が設けられている。
【００２１】
この切り換え爪体３４は、トリップロッド３３にその往復動方向に摺動可能に支承されている。トリップロッド３３にはその切り換え爪体３４に軸方向両側から臨んでこの切り換え爪体３４に当接可能な係合段差部３３ａ、３３ｂが形成されている。
【００２２】
駆動流体室構成壁体２８と切り換え爪体３４との間には、図５に示すように一対の揺動ロッド３６が揺動可能に掛け渡されている。駆動流体室構成壁体２８には揺動ロッド３６の揺動基部を支持する半球状回動体３７が設けられている。切り換え爪体３４には揺動ロッド３６の自由端部に、この揺動ロッド３６を回動可能に連結する連結ピン３８が設けられている。
【００２３】
その揺動ロッド３６には切り換え爪体３４がその中立位置を超えて他側から一側に向けて駆動されたときにはこの切り換え爪体３４を一側方向に付勢しかつ切り換え爪体３４がその中立位置を超えて一側から他側に向けて駆動されたときにはこの切り換え爪体３４を他側方向に付勢する付勢コイルスプリング３９がその揺動ロッド３６と同軸に設けられている。
【００２４】
駆動流体室構成壁体２８には、図３、図４、図６に示すように、弁本体部４０が取り付けられている。この弁本体部４０は、図８〜図１２に拡大して示すように、互いに対向する一対の弁座部４１、４１を有する。弁座部４１、４１は図１３〜図１７に示すように弁本体部４０の底壁部４２にボルトにより固定されている。この一対の弁座部４１、４１の対向間と底壁部４２とによって形成される空間は駆動流体室２８ａに臨んでおり、この空間が切り換えスライダーブロック往復動空間４３とされている。
【００２５】
その切り換えスライダーブロック往復動空間４３にはスライド方向両側がシール面４４ａとされた切り換えスライダーブロック４４がスライド可能に設けられている。
【００２６】
各弁座部４１、４１には駆動流体排出口４５に連通する排出ポート４６と、切り換えスライダーブロック４４の往復動方向に排出ポート４６から離間して設けられかつ駆動流体室２８ａに連通されたときにトリップロッド３３を一側から他側に向けて駆動する一側容積拡大室２７ａに駆動流体を供給する他側供給ポート４７と、排出ポート４６を挟んで他側供給ポート４７と反対側に設けられかつ駆動流体室２８ａに連通されたときにトリップロッド３３を他側から一側に向けて駆動する他側容積拡大室２７ｂに駆動流体を供給する一側供給ポート４８とが設けられている。
【００２７】
弁本体部４０には、図４、図６、図１３、図１５〜図１９に示すように、一対の排出ポート４６と駆動流体排出口４５とを連通する連通路４０ａ、４０ａ、一対の他側供給ポート４７とホース４９ａとを連通する一対の連通路４０ｂ、一対の一側供給ポート４８とホース４９ｂとを連通する一対の連通路４０ｃが形成されている。
【００２８】
その他側供給ポート４７と一側容積拡大室２７ａとはホース４９ａによって接続され、その一側供給ポート４８と他側容積拡大室２７ｂとはホース４９ｂによって接続されている。
【００２９】
切り換えスライダーブロック４４には、図１０、図１２、図１３〜図１７に拡大して示すように、トリップロッド３３が一側に位置するときには一側供給ポート４８と排出ポート４６とを連通しかつトリップロッド３３が他側に位置するときには他側供給ポート４７と排出ポート４６とを連通する連通空間５０が設けられている。
【００３０】
一対の弁座部４１、４１には、図８、図９、図１１に拡大して示すように、切り換えスライダーブロック４４の往復動方向に直交する方向に延びる脱落阻止部材５１が切り換えスライダーブロック４４を跨ぐようにして設けられている。この脱落阻止部材５１は切り換えスライダーブロック４４の脱落を阻止するためのものである。
【００３１】
弁本体部４０の底壁部４２には位置決めボール５２が、図１４に示すように、切り換えスライダーブロック４４に向けてスプリング５２ａにより突出付勢して設けられている。切り換えスライダーブロック４４には底壁部４２に臨む面に位置決めボール５２と係合してこの切り換えスライダーブロック４４を往動位置と復動位置とに位置決めする係合溝５３、５３が往復動方向に間隔を開けて形成されている。駆動流体室構成壁体２８にはトリップロッド３３の往復動を検出する近接センサ５４が設けられている。この近接センサ５４の検出信号は、例えば、トリップロッド３３の往復動の異常検出に用いられる。
【００３２】
切り換えスライダーブロック４４が図４、図５に示すように、一側にあるときには他側供給ポート４７が駆動流体室２８ａに連通され、図９、図１０、図１６、図１８に矢印で示すように、駆動流体室２８ａから一対の他側供給ポート４７に駆動流体が流入し、図４に矢印で示すように、ホース４９ａを経由して駆動流体が一側容積拡大室２７ａに供給される。また、一側供給ポート４８と排出ポート４６とが連通空間５０により連通され、他側容積拡大室２７ｂの駆動流体が、図４、図１０、図１６、図１８に矢印で示すように、ホース４９ｂ、一側供給ポート４８、排出ポート４６を経由して駆動流体排出口４５から排出される。
【００３３】
今、一側容積拡大室２７ａの容積が縮小過程から拡大過程に移行した直後でかつ他側容積拡大室２７ｂの容積が拡大過程から縮小過程に移行した直後であるものとすると、一側容積拡大室２７ａへの駆動流体の供給に基づきトリップロッド３３が一側から他側に向けて駆動される。トリップロッド３３が他側に向けて駆動されると、一側容積拡大室２７ａの容積が拡大過程から縮小過程に移行する直前でかつ他側容積拡大室２７ｂの容積が縮小過程から拡大過程に移行する直前に、係合段差部３３ａが切り換え爪体３４に当接し、これにより切り換え爪体３４が可動されて、切り換え爪体３４が切り換えスライダーブロック４４に係合し、切り換えスライダーブロック４４が一側から他側に切り換えられる。
【００３４】
すると、一側供給ポート４８が図６、図１１、図１２、図１７に示すように、駆動流体室２８ａに連通され、駆動流体室２８ａから一対の一側供給ポート４８，４８に駆動流体が流入し、図６に矢印で示すように、ホース４９ｂを経由して駆動流体が他側容積拡大室２７ｂに供給される。また、他側供給ポート４７と排出ポート４６とが連通空間５０により連通され、一側容積拡大室２７ａの駆動流体がホース４９ａ、他側供給ポート４７、排出ポート４６を経由して駆動流体排出口４５から排出される。この繰り返しにより、トリップロッド３３が往復動される。
【００３５】
この発明の実施の形態によれば、一対の弁座部４１、４１の対向間に配設された切り換えスライダーブロック４４の両面を利用して駆動流体を排出するようにしたので、駆動流体室２８ａと切り換えスライダーブロック４４の連通空間５０との間に圧力差が生じるのを回避することができ、切り換えスライダーブロック４４の往復動をスムーズに行わせることができる。
【００３６】
また、一対の各弁座部４１、４１に設けた供給ポート４７、４８と排出ポート４６とにより駆動流体の供給と排出とを行う構成としたので、従来の供給ポートの開口径、排出ポートの開口径をこの発明の実施の形態の供給ポート、排出ポートの開口径とが同じであると仮定した場合には、従来に較べて２倍の流量を理論上確保でき、従って、弁本体部４０の小型化を図ることができる。
【００３７】
更に、位置決めボール５２を弁本体部４０に設ける構成としたので、脱落阻止部材５１に位置決めボール５２を設ける従来の構成に較べて切り換え弁装置の薄型化を図ることができる。
【００３８】
図２０は本発明に係る切り換え弁装置の変形例を示すもので、トリップロッド３３には、切り換え爪体３４を挟んでその両側の係合段差部３３ａ、３３ｂに軸方向から切り換え爪体３４を付勢する補助コイルスプリング５５、５６をそれぞれ設け、補助コイルスプリング５５、５６の付勢力により切り換え爪体３４がその中立位置に停止するのを確実に防止する構成としたものである。
【００３９】
また、図２１は、本発明に係る切り換え弁装置を往復動式のダイヤフラムポンプ装置に適用した実施例を示すもので、ここでは切り換え弁装置は、一側容積拡大室２７ａと他側容積拡大室２７ｂとの間に掛け渡されて往復動される駆動ロッドとしてのセンターロッド５７に設けられ、この図２１において、５８、５９は送液室、６０、６１はダイヤフラム、６２，６３はダイヤフラム６０、６１をそれぞれ保持するセンターディスク、６４は送液流体取り入れ口、６５は送液流体吐出口、６６〜６８はチェックボールであり、送液室５８、５９はセンターロッド５７の往復動に伴うダイヤフラム６０、６１の拡縮により容積が交互に拡大縮小され、送液流体取り入れ口６４から液体が交互に取り入れられ、送液流体吐出口６５から交互に液体が吐出される。
【００４０】
このダイヤフラムポンプ装置の構成、作用は弁切り換え装置に関係する箇所以外は公知であり、その弁切り換え装置にはインキポンプ装置の弁切り換え装置に用いた構成のものと同一構成のものを用いることができるので、同一構成要素に同一符号を付してその詳細な説明は省略する。
【００４１】
【発明の効果】
請求項１ないし請求項７に記載の発明によれば、切り換えスライダーブロックのスムーズ化を図ることができ、作動不良の低減化を図ることができる。また、切り換え弁装置の小型化を図ることもできる。
【００４２】
請求項２に記載の発明によれば、従来に較べて切り換え弁装置の薄型化を図ることができる。
【００４３】
請求項３又は請求項４に記載の発明によれば、切り換え爪体が中立位置で停止するのを防止できる。例えば、非圧縮性の駆動流体を用いたとき、非圧縮性の駆動流体に圧縮性の気泡が含まれている場合でも、切り換え爪体が中立位置で停止するのを防止できる。
【図面の簡単な説明】
【図１】  従来の弁切り換え装置の要部構成を示す断面図である。
【図２】  図１に示す弁本体部の部分拡大図である。
【図３】  本発明に係る弁切り換え装置をインキポンプ装置に適用した実施例を示す要部縦断面図である。
【図４】  図３に示す弁切り換え装置を拡大して示す断面図であって、駆動ロッドが一側位置にある状態を示す説明図である。
【図５】  図３に示す切り換え爪体を揺動可能に支持する揺動ロッドの構造を説明するための説明図であって切り換え爪体が一側にある状態を示す図である。
【図６】  図３に示す切り換え弁装置を拡大して示す断面図であって、駆動ロッドが他側にある状態を示す説明図である。
【図７】  図３に示す切り換え爪体を揺動可能に支持する揺動ロッドの構造を説明するための説明図であって切り換え爪体が他側にある状態を示す図である。
【図８】  図４に示す弁切り換え装置の弁本体部を拡大して示す平面図であって、切り換えスライダーブロックが一側にある状態を示す図である。
【図９】  図８に示す切り換えスライダーブロック往復動空間に駆動流体が流入する状態を示す平面図である。
【図１０】  図１６のＣ−Ｃ´線に沿う断面図であって、切り換えスライダーブロックが一側にあるときの一対の弁座の各ポートへの駆動流体の流れを示す説明図である。
【図１１】  図８に示す切り換えスライダーブロックが他側にあるときに、切り換えスライダーブロックに駆動流体が流入する状態を示す平面図である。
【図１２】  図１７のＥ−Ｅ´線にに沿う断面図であって、切り換えスライダーブロックが他側にあるときに一対の弁座の各ポートへの駆動流体の流れを示す説明図である。
【図１３】  図８のＡ−Ａ´線に沿う断面図であって、切り換えスライダーブロックが一側にあるときの状態を示す図である。
【図１４】  図８のＢ−Ｂ´線に沿う断面図であって、切り換えスライダーブロックが他側に位置するときの位置決めボールと係合溝との係合関係を示す図である。
【図１５】  図８のＡ−Ａ´線に沿う断面図であって、切り換えスライダーブロックが他側にあるときの状態を示す図である。
【図１６】  切り換えスライダーブロックが一側にあるときの駆動流体の流れを説明するための模式図である。
【図１７】  切り換えスライダーブロックが他側にあるときの駆動流体の流れを説明するための模式図である。
【図１８】  図１６のＤ−Ｄ´線に沿う断面図である。
【図１９】  図１７のＦ−Ｆ´線に沿う断面図である。
【図２０】  本発明に係る弁切り換え装置の変形例を説明するための拡大壇面図である。
【図２１】  本発明に係る弁切り換え装置を往復動式のダイヤフラムポンプ装置に適用した実施例を示す縦断面図である。
【符号の説明】
２７ａ…一側容積拡大室
２７ｂ…他側容積拡大室
２８…駆動流体室構成壁体
２８ａ…駆動流体室
３３…トリップロッド（駆動ロッド）
３４…切り換え爪体
４０…弁座部
４１…弁座部
４２…底壁部
４３…切り換えスライダーブロック往復動空間
４４…切り換えスライダーブロック
４６…排出ポート
４７…他側供給ポート
４８…一側供給ポート
５０…連通空間
【図１】
0003701623.tif 000002
【図２】
0003701623.tif 000003
【図３】
0003701623.tif 000004
【図４】
0003701623.tif 000005
【図５】
0003701623.tif 000006
【図６】
0003701623.tif 000007
【図７】
0003701623.tif 000008
【図８】
0003701623.tif 000009
【図９】
0003701623.tif 000010
【図１０】
0003701623.tif 000011
【図１１】
0003701623.tif 000012
【図１２】
0003701623.tif 000013
【図１３】
0003701623.tif 000014
【図１４】
0003701623.tif 000015
【図１５】
0003701623.tif 000016
【図１６】
0003701623.tif 000017
【図１７】
0003701623.tif 000018
【図１８】
0003701623.tif 000019
【図１９】
0003701623.tif 000020
【図２０】
0003701623.tif 000021
【図２１】
0003701623.tif 000022